(57)【要約】【課題】冷暖房送風装置を提供する。【解決手段】本発明は、フィルタリングされた空気を流入して送風する送風機能と送風された空気を加熱して排出させる加熱機能及び送風された空気を熱交換させて冷却する冷却機能を選択的に提供することができる。本発明の実施形態よれば、ケースに装着される送風部と冷却部及びヒータ部を介してオールシーズン所望する送風と温風及び冷風が選択的に提供できると共に、ケースに送風部と冷却部及びヒータ部が装着されることで、生産コストと維持補修費が節減できる効果がある。【選択図】図１
2019038273.tif 000002
【特許請求の範囲】
【請求項１】
外部空気が流入される空気取入口にフィルタ部が装着され、一側には内部空気を外部に排出する空気排出部が形成されるケースと、
前記ケースの内部に装着され、制御部の作動信号に応じてフィルタリングされた空気を空気排出部に送り込む送風部と、
前記ケースの内部に装着され、制御部の作動信号に応じて送風部から空気排出部に送り込まれる空気を熱交換させて冷却する冷却部と、を含んでなることを特徴とする冷暖房送風装置。
【請求項２】
前記送風部は、
一側に流入口が形成され、反対側にはケースの空気排出部と接続される連結通路が形成される送風ケースと、
前記送風ケースの一側に装着される駆動モータと、
前記駆動モータと結合されて駆動時に前記フィルタ部を介して流入される空気を送風ケースの内部に吸入して連結通路に送風させる送風ファンと、で構成されることを特徴とする、請求項１に記載の冷暖房送風装置。
【請求項３】
前記連結通路には、フィルタリングされた空気が加熱できるようにヒータ部がさらに装着されることを特徴とする、請求項２に記載の冷暖房送風装置。
【請求項４】
前記冷却部は、冷凍機及び該冷凍機の一側に接続され、熱交換部が送風部の連結通路内部に配置される冷媒管または熱電素子で構成されることを特徴とする、請求項１に記載の冷暖房送風装置。
【請求項５】
前記フィルタ部は、中空状のフィルタケースと前記フィルタケースの内部空間に装着されるフィルタ及び前記フィルタケースの内部空間に装着され、フィルタに集塵された埃中の細菌を殺菌する殺菌ランプを含んでなることを特徴とする、請求項２に記載の冷暖房送風装置。
【請求項６】
前記連結通路には、ＵＶランプ及び光触媒フィルタとプラズマクラスタで構成される空気浄化部がさらに装着されることを特徴とする、請求項２に記載の冷暖房送風装置。
【請求項７】
前記制御部には、遠隔制御のために無線接続装置がさらに装着されることを特徴とする、請求項２に記載の冷暖房送風装置。
【発明の詳細な説明】
【技術分野】
【０００１】
本発明は、冷暖房送風装置に関し、より詳しくは、送風と冷風及び温風の供給を介してオールシーズン使用が可能で、内部に流入される空気のフィルタリングと外部に送風される空気に脱臭機能を付与し、空気取入口には微細埃を集塵するフィルタを設け、集塵されたフィルタの微細埃に含まれている細菌を殺菌することができる殺菌ランプを設けて、きれいに浄化された空気が提供できる冷暖房送風装置（Ａｉｒ  ｂｌｏｗｅｒ）に関する。
【背景技術】
【０００２】
一般に送風装置は、特定方向に空気を送り込む装置をいい、用途に応じて温風を送り込む暖房用送風装置、冷風を送り込む冷房用送風装置、脱臭、殺菌機能が含まれた空気を送り込むプラズマクラスタなどがある。
【０００３】
このような送風装置は、一般に駆動モータと該駆動モータで回転される送風ファンからなる。
【０００４】
すなわち、前記送風装置は、駆動モータの作動により送風ファンの回転作動時に風を前方に送り込みながら室内空気を強制循環させる。
【０００５】
一方、車両運転者が車両椅子に座った姿勢で長期間運転をすることになれば椅子に接触する背凭れと尻などには沢山の汗が発生して不快感を感じるだけでなく、安全運転にも影響を及ぼすことになる。
【０００６】
特に、暑い地方や夏に長期間運行すると不快感と共に、汗による汗疹などの肌疾患が発生するので、これを解決する方案として送風機能を有する車両用通風シートが開発されている。
【０００７】
そして、前記車両用通風シートはその構成が多様であるが、概して背凭れシートに送風孔を備える送風管を装着するか、または背凭れシートを中空状に形成して送風機から背凭れシートに風を供給して汗を蒸発させるように構成されている。
【０００８】
ここで、前記車両用通風シートにおいて通風シートを送風管で構成する例においては、シート本体に複数の送風孔による送風管を形成し、送風管には送風機を結合させて風を送風する通風シート（実用新案公開第１９８５−７２７８号）と、通風シートに独立した送風管を埋め込み、送風機を結合させて風を送風する類型で送風される背凭れシート（実用新案公開第１９８７−１５９１９号）と、圧縮機から風を送風する通風シート（実用新案公開第１９８８−１７３３８号）などが例として挙げられる。
【０００９】
他の例では、通風シートを中空状に構成したもので、通風シートの送風孔を形成する背凭れを上板と下板に構成して突起により間隔を維持し、送風機から風を供給する通風シート（実用新案登録第０４８４９８号）と、上下に突起が構成されている導電性マットを、通気性を有するケースで被覆し、シートの一側に構成された送風機締結ブラケットに送風機を結合して円滑な送風効果と磁石による血液循環促進効果により運転者の健康も保つようにした通風シート（特許登録第０９１０９号）などが例として挙げられる。
【００１０】
このような前記通風シートは、送風機から通風シートに車内の風を運転座席に吹き入れて循環させることで、車両シートに接触されて汗に濡れた背凭れや尻の汗を迅速に除去して凉しくしながら、疲れを軽減させて安全運転と健康が得られる効果をもたらす。
【００１１】
しかし、前記通風シートなどは、蒸し暑い夏または気温が高い地域だけに用いられる季節商品に限られ、気温が寒い冬には取り外して保管しなければならない煩わしさがあるため、海外輸出の場合は気温の高い南方地域に限られ、輸出増進に制約があるなど問題があった。
【００１２】
そのため、上記のような冷風効果の問題を考慮したのち、夏には送風機で冷風を供給し、冬には電熱線で通風シートを暖かくさせるマッサージ冷温シート（実用新案出願第９５−３９５３１号）が出願された。
【００１３】
しかしながら、前記マッサージ冷温シートは、電熱線を設けて夏と冬などいつでも使用できる長所を有するものの、電熱線を通風シートに埋設する作業条件が困難であって、製造コスト及び生産コストが増加する問題があった。
【００１４】
また、上記のような通風シートは、車両椅子でない業務用椅子などに設けて温熱が得られるように用いられた形態など多様なものが知られているが、これも温熱動作または冷熱動作などを独立的に運用できるように構成されているため、上記のような冷温兼用として利用できず、これらは温風作用または冷風作用をする温風機または冷風機が椅子と一体に結合するために独立した乾燥機として活用できない問題があった。
【先行技術文献】
【特許文献】
【００１５】
【特許文献１】韓国特許公報第１０−１２００７５５号（２０１２．１１．０７）
【特許文献２】韓国実用新案公報第２０−１３４１６２号（１９９８．１０．１７）
【発明の概要】
【発明が解決しようとする課題】
【００１６】
本発明は、上記のような問題を解決するために案出したものであって、ケースに装着される送風部と冷却部及びヒータ部を介してオールシーズン所望する送風と温風及び冷風が選択的に提供できると共に、空気取入口にフィルタを設けて微細埃を除去し、フィルタに吸着した微細埃及び細菌などを殺菌することができるようにフィルタの前面に殺菌可能な殺菌ランプを設けてきれいな空気を送風できるようにする冷暖房送風装置を提供することにその目的がある。
【００１７】
また、ケースに装着されるフィルタ部を介して内部に流入される空気に含まれた有害成分をフィルタリングし、送風部の連結通路に装着される空気浄化部を介して外部に排出される空気が殺菌及び脱臭できるようにする冷暖房送風装置を提供することにその目的がある。
【００１８】
また、冷暖房送風装置は単独に用いられるだけでなく、車両用通風シート、通風用背凭れシート、マットなどのような形状を有する空気排出手段と結合されて用いられることにその目的がある。
【課題を解決するための手段】
【００１９】
本発明の実施形態による冷暖房送風装置は、外部空気が流入される空気取入口にフィルタ部が装着され、一側には内部空気を外部に排出する空気排出部が形成されるケースと、前記ケースの内部に装着され、制御部の作動信号によりフィルタリングされた空気を空気排出部に送り込む送風部と、前記ケースの内部に装着され、制御部の作動信号により送風部から空気排出部に送り込む空気を熱交換させて冷却する冷却部とを含んでなる。
【００２０】
そして、前記送風部は、一側に流入口が形成され、反対側にはケースの空気排出部と接続される連結通路が形成される送風ケースと、前記送風ケースの一側に装着される駆動モータと、前記駆動モータと結合され、駆動時に前記フィルタ部を介して流入される空気を送風ケースの内部に吸入して連結通路に送風させる送風ファンとで構成されてもよい。
【００２１】
ここで、前記連結通路には、フィルタリングされた空気を加熱することができるようにヒータ部がさらに装着されてもよい。
【００２２】
また、前記冷却部は、冷凍機及び該冷凍機の一側に接続され、熱交換部が送風部の連結通路内部に配置される冷媒管で構成されるか、または熱電素子で構成されてもよい。
【００２３】
そして、前記フィルタ部は、中空状のフィルタケースと該フィルタケースの内部空間に装着されるフィルタ及び前記フィルタケースの内部空間に装着され、フィルタに集塵された埃中の細菌を殺菌する殺菌ランプを含んでなっていてもよい。
【００２４】
また、前記連結通路には、ＵＶランプ及び光触媒フィルタとプラズマクラスタで構成される空気浄化部がさらに装着されてもよい。
【００２５】
そして、前記制御部には、遠隔制御のために無線接続装置がさらに装着されてもよい。
【発明の効果】
【００２６】
本発明の実施形態よれば、ケースに装着される送風部と冷却部及びヒータ部を介してオールシーズン所望する送風と温風及び冷風を選択的に提供できるだけでなく、ケースに送風部と冷却部及びヒータ部が装着されることで、生産コストと維持補修費を節減することができる効果がある。
【００２７】
また、ケースに装着されるフィルタ部を介して内部に流入される空気に含まれた埃などの有害成分をフィルタリングし、フィルタリングされた空気は外部に排出される過程において送風部の連結通路に装着された空気浄化部を介して殺菌及び脱臭することで、快適かつ衛生的な環境を提供することができる効果がある。
【００２８】
また、冷暖房送風装置は単独に用いられるだけでなく、車両用通風シート、通風用背凭れシートなどのような小型器具と居間と寝具用マットなどの大型器具に多様に適用して用いられるので、活用度の高い効果がある。
【図面の簡単な説明】
【００２９】
【図１】本発明における冷暖房送風装置を示す斜視図である。
【図２】本発明における冷暖房送風装置を示す構成断面図である。
【図３Ａ】本発明における冷暖房送風装置を構成する冷却部を示す平面図である。
【図３Ｂ】本発明における冷暖房送風装置を構成する冷却部を示す側面図である。
【図４】本発明による冷暖房送風装置を構成する送風部と空気浄化部を示す部分断面図である。
【図５】本発明における冷暖房送風装置を構成する冷却部の他の実施形態が適用された構成断面図である。
【図６】本発明における冷暖房送風装置を背凭れシート状の空気排出手段に適用した例を示す図である。
【図７】本発明における冷暖房送風装置を背凭れシート状の空気排出手段に適用した例を示す図である。
【図８】本発明における冷暖房送風装置を背凭れシート状の空気排出手段に適用した例を示す図である。
【図９】本発明における冷暖房送風装置をマット状の空気排出手段に適用した例を示す図である。
【図１０】本発明における冷暖房送風装置をマット状の空気排出手段に適用した例を示す図である。
【発明を実施するための形態】
【００３０】
以下、本発明が属する技術分野において通商の知識を有する者が容易に実施できるように本発明の実施形態について添付図面を参照しながら詳しく説明する。しかしながら、本発明は多様な形態で実現することができ、ここで説明する実施形態に限定されない。明細書全体において類似部分には同一の図面番号を付する。
【００３１】
以下、本発明の構成を、添付図面を参照しながら説明すると、図１は本発明による冷暖房送風装置を示す斜視図であり、図２は本発明による冷暖房送風装置を示す構成断面図であり、図３Ａ及び図３Ｂは本発明による冷暖房送風装置を構成する冷却部を示す平面図及び側面図であり、図４は本発明による冷暖房送風装置を構成する送風部と空気浄化部を示す部分断面図である，  図５は本発明による冷暖房送風装置を構成する冷却部の他の実施形態が適用された構成断面図であり。
【００３２】
本発明の実施形態による冷暖房送風装置１０は、ケース２０、フィルタ部３０、冷却部４０、送風部５０、ヒータ部６０、制御部７０を含んでなる。
【００３３】
ここで、前記冷暖房送風装置１０に電源を供給する電源部は、携帯及び保管が容易な公知のバッテリと公知の電源供給手段を択一して構成され、それ以上の説明は省略するものとする。
【００３４】
前記ケース２０は所定の大きさを有し、ここでは四角形に形成された例で説明するが、前記ケース２０は環境や目的などに応じて多様な大きさ及び形状に形成されるものとする。
【００３５】
そして、四角形のケース２０は、内部に収容空間２２が形成され、外面にはフィルタ部３０が装着される空気取入口２４と空気を排出する空気排出部２６が形成される。
【００３６】
すなわち、前記ケース２０は、内部の収容空間２２に冷却部４０と送風部５０及びヒータ部６０が設けられ、外面にはフィルタ部３０と制御部７０が装着され、一側には送風、冷風、温風を排出する空気排出部２６が形成されたものである。
【００３７】
ここで、前記ケース２０の外面一側には、環境や目的などに応じて円滑な把持のためにハンドル（図示せず）が選択的に装着されてもよい。
【００３８】
前記フィルタ部３０は、ケース２０に装着され、流入される空気に含まれた埃をフィルタリングする。
【００３９】
そして、前記フィルタ部３０は、フィルタケース３２と該フィルタケース３２の内部に装着されるフィルタ３４及び殺菌ランプ３６で構成される。
【００４０】
ここで、前記フィルタ部３０を構成するフィルタ３４は、空気に含まれた埃をフィルタリングできるものであれば何でもよく、本発明において前記フィルタ部３０のフィルタ３４は、放射性物質を扱う施設やクリーンルームなどに高度の清浄環境を設ける際に微細粒子を高効率で濾過するために用いられるマイクロＨＥＰＡフィルタが用いられる。
【００４１】
また、前記殺菌ランプ３６は、フィルタケース３２の内部に装着され、フィルタ３４に集塵された埃中の細菌を殺菌する。
【００４２】
すなわち、前記フィルタ部３０は、フィルタケース３２に流入される空気中に含まれた埃と有害物質を、フィルタ３４を介してフィルタリングし、前記フィルタ３４の前方や後方に装着される殺菌ランプ３６を介してフィルタ３４に集塵された埃中の細菌を殺菌する。
【００４３】
前記冷却部４０は、ケース２０の収容空間２２に装着され、送風部５０から供給される空気を熱交換させて冷却する。
【００４４】
そして、前記冷却部４０は、冷凍機４２と該冷凍機４２の一側に連結され、熱交換部４６が送風部５０の連結通路内部に配置される冷媒管４４からなる。
【００４５】
すなわち、前記冷却部４０は、冷媒管４４に沿って移動する冷媒が熱交換部４６を通過する過程において前記送風部５０の連結通路から供給された空気と熱交換され、前記送風部５０の連結通路から供給される空気は熱交換を介して冷却されながら空気排出部２６に移動する。
【００４６】
ここで、前記冷却部４０を構成する冷凍機４２は、密閉した容器中の温度を、その周囲の温度よりも低くする公知の冷凍機を択一して構成しており、それ以上の説明は省略するものとする。
【００４７】
また、前記冷媒管４４の熱交換部４６は、図示に限らず、環境や目的などに応じて多様に形成されてもよい。
【００４８】
そして、前記冷却部４０は、ペルチェ効果が得られる熱電素子で構成されてもよい。
【００４９】
すなわち、前記冷却部４０は、熱電対に熱起電力に抵抗する電流を流すと、高温接点側から発熱し、低温接点側から吸熱（すなわち、冷却）が行われるペルチェ効果を介して冷却機能を実行することができる。
【００５０】
前記送風部５０はケース２０の収容空間２２に装着され、フィルタ部３０を経てケース２０の内部に流入された空気をケース２０の空気排出部２６方向に送り込む。
【００５１】
そして、前記送風部５０は、一側に流入口５２が形成され、反対側にはケース２０の空気排出部２６と接続される連結通路５３が形成される送風ケース５１と該送風ケース５１の一側に装着される駆動モータ５４及び該駆動モータ５４と結合しながら駆動時にフィルタ部３０を介して流入される空気を送風ケース５１の内部に吸入して連結通路５３に送風させる送風ファン５５で構成される。
【００５２】
すなわち、前記送風部５０は、フィルタ部３０を介して流入されてフィルタリングされた空気を駆動モータ５４作動時に連動作動する送風ファン５５を利用して送風ケース５１の流入口５２を介して吸入した後、前記連結通路５３を経て空気排出部２６に排出される。
【００５３】
ここで、前記連結通路５３は、送風ケース５１と一体に形成されてもよいが、ヒータ部６０と空気浄化部８０との円滑な装着及び前記ケース２０の収容空間２２に容易に装着できるように分離構成した方が効率的である。
【００５４】
前記ヒータ部６０は送風部５０の連結通路５３に装着され、制御部７０の信号で作動時に内部空気が加熱される。
【００５５】
すなわち、前記ヒータ部６０は、制御部７０の信号で作動時に連結通路５３の内部を通過する空気を加熱させる。
【００５６】
ここで、前記ヒータ部６０は、ＰＣＴサーミスタを用いた転記発熱体素子からなるＰＴＣヒータで構成されるが、前記ヒータ部６０は環境や目的などに応じて公知のヒータを択一して構成されてもよい。
【００５７】
前記制御部７０は、ケース２０の一側に装着され、冷却部４０、送風部５０、ヒータ部６０及び空気浄化部８０を調節する。
【００５８】
すなわち、前記制御部７０は、ケース２０の一側に装着されて冷却部４０と送風部５０とヒータ部６０及び空気浄化部８０がオンオフ作動と前記ヒータ部６０の温度調節及び空気浄化部８０の選択作動を調節する。
【００５９】
ここで、前記制御部７０は、冷暖房送風装置１０の構成によって異なるので図示に限らず、一側には遠隔制御のために無線接続装置７２が選択的に装着されてもよい。
【００６０】
前記送風部５０の連結通路５３に装着される空気浄化部８０は、ＵＶランプ８２及び光触媒フィルタ８４とプラズマクラスタ８６からなる。
【００６１】
すなわち、前記空気浄化部８０は、連結通路５３に装着されて送風部５０作動時に送り込まれる空気をＵＶランプ８２及び光触媒フィルタ８４を介して殺菌し、プラズマクラスタ８６を用いて脱臭させるようにしたものである。
【００６２】
ここで、前記連結通路５３にＵＶランプ８２と光触媒フィルタ８４を一緒に装着したのは、紫外線が照射された光触媒表面の強力な酸化還元力を利用して空気に含油された菌を殺菌処理させるためである。
【００６３】
また、前記空気浄化部８０の作動は、制御部７０の作動を介してＵＶランプ８２とプラズマクラスタ８６が選択的に用いられるか、または制御部７０の作動を介する送風部５０の作動時にＵＶランプ８２とプラズマクラスタ８６が同時に作動されるように構成される。
【００６４】
次に、上記のように構成される冷暖房送風装置の実施形態を参照に説明する。
【００６５】
先ずは、四角形で内部に収容空間２２が形成され、外面には空気取入口２４と空気を排出する空気排出部２６が形成されるケース２０を形成した後、前記空気取入口２４にフィルタケース３２と該フィルタケース３２の内部に装着されるＨＥＰＡフィルタ３４で構成されたフィルタ部３０を装着する。
【００６６】
そして、前記ケース２０の収容空間２２に一側に流入口５２が形成された送風ケース５１と該送風ケース５１の一側に装着される駆動モータ５４及び該駆動モータ５４と結合されながら駆動時にフィルタ部３０を介して流入される空気を送風ケース５１の内部に吸入して連結通路５３に送風させる送風ファン５５で構成された送風部５０を装着する。
【００６７】
次に、連結通路５３の内部にＰＴＣヒータで構成されたヒータ部６０とＵＶランプ８２及び光触媒フィルタ８４とプラズマクラスタ８６からなる空気浄化部８０を順に装着した後、前記送風ケース５１とケース２０の空気排出部２６との間にヒータ部６０と空気浄化部８０が装着された連結通路５３を装着する。
【００６８】
そして、前記ケース２０の収容空間２２に冷凍機４２と該冷凍機４２の一側に接続され、熱交換部４６が送風部５０の連結通路５３内部に配置される冷媒管４４からなる冷却部４０を装着する。
【００６９】
次に、前記ケース２０の外面に、冷却部４０、送風部５０、ヒータ部６０及び空気浄化部８０を調節する制御部７０を装着することで冷暖房送風装置１０の組立が完了される。
【００７０】
ここで、冷暖房送風装置の組立順序は上記と異なるように構成されてもよい。
【００７１】
次に、前記冷暖房送風装置１０を介して送風、冷風、温風の供給について説明する。
【００７２】
まず、前記冷暖房送風装置１０を介して送風を供給させようと制御部７０を操作すると、前記送風部５０は、フィルタ部３０を経て供給された空気を流入した後、空気は空気浄化部８０が装着された連結通路５３を経て空気排出部２６を介して外部に排出される。
【００７３】
これをさらに詳しく説明すると、前記送風部５０は、制御部７０の作動信号に応じて駆動モータ５４が作動されると、前記駆動モータ５４は送風ファン５５を回転作動させ、前記送風ファン５５はフィルタ部３０を経て供給されるフィルタリングされた空気を送風ケース５１の流入口５２に吸入した後、吸入された空気を、空気浄化部８０を介して殺菌及び脱臭させた後、前記連結通路５３を介してケース２０の空気排出部２６に送り込んで排出させる。
【００７４】
すなわち、前記冷暖房送風装置１０は、送風機能が作動する際に冷却部４０とヒータ部６０を停止させ、送風部５０と空気浄化部８０だけを作動させる。
【００７５】
そして、前記冷暖房送風装置１０を介して冷風を供給させるために制御部７０を操作すると、前記冷却部４０は冷凍機４２の作動により冷媒が冷媒管４４に沿って移動し、前記送風ファン５５はフィルタ部３０を経て供給されるフィルタリングされた空気を送風ケース５１の流入口５２を介して吸入した後、吸入された空気を、空気浄化部８０を介して殺菌及び脱臭させた後、吸入された空気を空気排出部２６に送り込む。
【００７６】
このとき、前記空気排出部２６に移動する空気は、冷媒管４４の熱交換部４６を通過しながら温度が低くなった状態で移動する。
【００７７】
すなわち、前記冷暖房送風装置１０は、冷房機能が作動する際にヒータ部６０だけを停止させ、冷却部４０と送風部５０及び空気浄化部８０を作動させる。
【００７８】
次に、前記冷暖房送風装置１０を介して温風を供給させるために制御部７０を操作すると、前記送風部５０はフィルタ部３０を介して空気を流入した後、吸入された空気を連結通路５３に送り込み、前記ヒータ部６０は空気浄化部８０に移動する吸入された空気を加熱し、加熱された空気は空気浄化部８０を経て空気排出部２６に移動された後、外部に排出される。
【００７９】
これをさらに詳しく説明すると、前記ヒータ部６０は制御部７０の作動に応じて加熱され、前記送風部５０は制御部７０の作動信号に応じて駆動モータ５４が作動しながら送風ファン５５を回転作動させる。
【００８０】
続いて、前記送風ファン５５は、フィルタ部３０を経て供給されるフィルタリングされた空気を送風ケース５１の流入口５２を介して吸入し、吸入された空気はヒータ部６０を経て温度が上昇された後、空気浄化部８０を介して殺菌及び脱臭された後、連結通路５３を介してケース２０の空気排出部２６に遅れ込まれて排出される。
【００８１】
次に、前記冷暖房送風装置１０は、図６ないし図１０に示すように、通風用背凭れシート及び居間と寝具用マットの空気排出手段９０と結合して用いられる。
【００８２】
ここで、前記空気排出手段９０は、図示に限らず、用途に応じて多様に形成されてもよい。
【００８３】
まず、図６ないし図８に示す冷暖房送風装置１０は、ケース２０の空気排出部２６に背凭れシート状の空気排出手段９０が装着された例を示すものである。
【００８４】
そして、前記空気排出手段９０は、一側が空気排出部２６に結合され、外面には間隔を置いて排出孔９２ａが形成された空気移送管９１ａと該空気移送管９１ａを覆い、外面には前記排出孔９２ａから排出された空気が排出できるように管体排出孔９４ａが形成されるか、またはメッシュ状に形成された移送管体９３ａで構成される。
【００８５】
すなわち、前記空気排出手段９０は、排出孔９２ａが形成された空気移送管９１ａの外面に管体排出孔９４ａが形成されるか、またはメッシュ状に形成される移送管体９３ａを装着した後、前記空気移送管９１ａの端を空気排出部２６に結合させた後、冷暖房送風装置１０が作動した際に使用者の尻または尻と背凭れに送風、温風、冷風を供給できるようにしたものである。
【００８６】
このとき、前記空気移送管９１ａと移送管体９３ａは、使用者の身体に沿って対応できるように伸縮性と柔軟性を有する材質で形成されることが好ましい。
【００８７】
また、前記空気移送管９１ａと移送管体９３ａとの間には空気移送管９１の形状変更を防止させると共に指圧効果が得られるように、間隔を置いて間隔調節部材９５ａが選択的に装着されていてもよい（図８参照）。
【００８８】
また、前記空気排出部２６と空気移送管９１ａとの連結部分には、空気排出部２６を介して供給される空気を前記空気移送管９１ａに均等に供給できるように公知の分配器が装着されてもよく、それ以上の説明は省略するものとする。
【００８９】
次に、図９及び図１０に示す冷暖房送風装置１０は、ケース２０の空気排出部２６に使用者が横になった際に、異質感が感じられないようにマット状の空気排出手段９０が装着された例を示すものである。
【００９０】
そして、前記空気排出手段９０は、内部に空気伝達孔９３ｂが貫通形成され、上部には空気伝達孔９３ｂと連通される空気排出孔９４ｂが形成される複数の空気移送部材９２ｂを結合して形成された空気マット９１ｂと前記空気マット９１ｂの外郭枠を覆って固定させる仕上げ部材９５ｂからなる。
【００９１】
すなわち、前記空気排出手段９０は、複数の空気移送部材９２ｂを結合して空気マット９１ｂを形成した後、前記空気マット９１ｂ、を仕上げ部材９５ｂを介して固定した後、前記空気排出部２６を介して供給された空気を空気移送部材９２ｂの空気排出孔９４ｂを介して上部に排出させるようにしたものである。
【００９２】
このとき、前記空気移送部材９２ｂの空気伝達孔９３ｂは、均一な空気が供給できるように互いに異なった直径を有して形成されてもよい。
【００９３】
また、前記空気排出部２６と空気移送部材９２ｂとの連結部分には、空気排出部２６を介して供給される空気を前記空気移送部材９２ｂに均等に供給できるように公知の分配器が装着されてもよく、それ以上の説明は省略するものとする。
【００９４】
次に、前記冷暖房送風装置１０は、図６ないし図８に示すような背凭れシート状の空気排出手段と、図９及び図１０に示すようなマット状の空気排出手段以外にも毛布、布団などのような寝具類と底に敷かれるカーベットなどに多様に適用され、オールシーズンにおける送風と冷風及び温風を選択的に供給することができる。
【００９５】
このとき、前記寝具類とカーベットの構造は、図６ないし図８に示すような背凭れシート状の空気排出手段、または図９及び図１０に示すようなマット状の空気排出手段または公知の空気循環構造など多様な方式で形成されてもよい。
【００９６】
このように本発明の冷暖房送風装置は、フィルタリングされた空気を流入して送風する送風機能と送風された空気を加熱して排出する加熱機能及び送風された空気を熱交換させて冷却する冷却機能を備えてオールシーズン使用が可能であり、快適かつ衛生的な環境を提供することができる。
【００９７】
以上、添付図面を参照しながら本発明の冷暖房送風装置を説明するにおいて特定形状や方向に基づいて説明したが、本発明は当業者によって多様な変形及び変更が可能であり、このような変形及び変更は本発明の権利範囲に含まれるものとして解釈すべきである。
【符号の説明】
【００９８】
１０  冷暖房送風装置
２０  ケース
２２  収容空間
２４  空気取入口
２６  空気排出部
３０  フィルタ部
３２  フィルタケース
３４  フィルタ
３６  殺菌ランプ
４０  冷却部
４２  冷凍機
４４  冷媒管
４６  熱交換部
５０  送風部
５１  送風ケース
５２  流入口
５３  連結通路
５４  駆動モータ
５５  送風ファン
６０  ヒータ部
７０  制御部
７２  無線接続装置
８０  空気浄化部
８２  ランプ
８４  光触媒フィルタ
８６  プラズマクラスタ
９０  空気排出手段
９１  空気移送管
９２  空気移送部材
９３  空気伝達孔
９４  管体排出孔
９５  間隔調節部材
【図１】
2019038273.tif 000003
【図２】
2019038273.tif 000004
【図３Ａ】
2019038273.tif 000005
【図３Ｂ】
2019038273.tif 000006
【図４】
2019038273.tif 000007
【図５】
2019038273.tif 000008
【図６】
2019038273.tif 000009
【図７】
2019038273.tif 000010
【図８】
2019038273.tif 000011
【図９】
2019038273.tif 000012
【図１０】
2019038273.tif 000013